(57)【要約】      （修正有）【課題】２様の制御基板の一体化に基づく回路構造を一層に簡素化と画像品質の向上。【解決手段】外装本体１、外装本体１に支持される支持枠３、液晶モジュール４、制御基板５、外装本体１の正面側に配置され画質を調整する画質調整手動器７とから構成されている。制御基板５は、支持枠３の正面側と液晶モジュール４の背面側との間に配置される。制御基板５は、液晶モジュール４に画像信号送信的に接続し画像表示を制御する第１制御回路１６と、画質調整手動器７に画質信号受信的に接続し画質を調整する第２制御回路とから形成されている。第１制御回路１６と第２制御回路とは共通の制御基板５に同体に結合している。第１制御回路１６と第２制御回路とは共通の制御基板５に同体に結合していて、基板が単一化され、ケーブルによる配線構造が簡略化され、全体の組立が簡素化される。【選択図】          図１
2004317905.tif 000002
【特許請求の範囲】
【請求項１】
外装本体と、
前記外装本体に支持される支持枠と、
前記外装本体に支持される液晶モジュールと、
前記支持枠に支持される制御基板と、
前記外装本体に支持され前記外装本体の正面側に配置され画質を調整する画質調整手動器とを構成し、
前記制御基板は、前記支持枠の正面側と前記液晶モジュールの背面側との間に配置され、
前記制御基板は、
前記液晶モジュールに画像信号送信的に接続し画像表示を制御する第１制御回路と、
前記画質調整手動器に画質信号受信的に接続し前記画質を調整する第２制御回路とを形成し、
前記第１制御回路と前記第２制御回路とは前記制御基板に同体に結合している
液晶モニタ装置。
【請求項２】
前記制御基板は、第３制御回路を更に形成し、前記第３制御回路は前記第１制御回路と前記第２制御回路に電力を供給する電源として用いられ、
前記第３制御回路は、前記第１制御回路と前記第２制御回路の間の領域に配置される
請求項１の液晶モニタ装置。
【請求項３】
前記第１制御回路は前記制御基板の背面側に形成され、前記第２制御回路は前記制御基板の正面側に形成され、
前記第１制御回路は前記制御基板の中央領域に配置され、前記第２制御回路は前記制御基板の下方領域に配置される
請求項２の液晶モニタ装置。
【請求項４】
前記画質調整手動器は、前記外装本体の下方部位に配置される
請求項３の液晶モニタ装置。
【請求項５】
前記外装本体に支持され画像信号ケーブルの端部に接続する第１コネクタと、
前記制御基板の背面側に支持される第２コネクタとを更に構成し、
前記第１コネクタは前記第２コネクタに画像信号伝送的に接続する
請求項３の液晶モニタ装置。
【請求項６】
前記画像信号ケーブルはＲＧＢ信号を伝送する
請求項５の液晶モニタ装置。
【請求項７】
前記第２コネクタは前記制御基板の上方領域に配置される
請求項５の液晶モニタ装置。
【請求項８】
前記第１制御回路の動作状態を示す発光器を更に構成し、前記発光器は前記制御基板の下方領域に配置されて支持される
請求項３の液晶モニタ装置。
【請求項９】
前記制御基板を前記支持枠に支持する支持器を更に構成し、
前記制御基板の背面と前記支持枠の正面との間には前記支持器により隙間が形成されている
請求項１の液晶モニタ装置。
【発明の詳細な説明】
【０００１】
【発明の属する技術分野】
本発明は、液晶モニタ装置に関し、特に、画像形成制御基板と画質調整基板とを持つ液晶モニタ装置に関する。
【０００２】
【従来の技術】
液晶モニタには、表示画面にカラー画像を表示する表示機能と、その画像の表示画質を調整する調整機能とが求められる。表示機能のために必要であるＲＧＢ信号入力コネクタは液晶モニタ背面に配置され、且つ、調整機能のために必要である画質調整用スイッチは液晶モニタ正面に配置されることが好ましい。両機能をそれぞれに有する第１制御基板（表示制御）と第２制御基板（調整制御基板）との一体化は、回路構造の簡素化の点と接続ケーブルの省略の点とで優れている（後掲特許文献１等参照）。
【０００３】
一体化された制御基板は、ＲＧＢ入力コネクタと画質調整用スイッチとに電気的に接続される。その接続のために接続用ケーブルが必要である。ケーブル接続の複雑化は、ケーブル接続の不完全を招き、製品の開発を困難化する。ケーブル接続の不完全は装置不良を招き、製品開発の困難化は、開発費と部品単位のコストと製品価格の増大を招く。
【０００４】
図８は、既述の問題点の存在を具体的に示す公知技術を示している。図８に示されるように、液晶モニタは、机上に安定的に載置される基台１０１と、基台１０１に支持されるモニタ外装本体１０２と、モニタ外装本体１０２に内装的に支持されるフレーム１０３と、フレーム１０３に支持される液晶モジュール１０４とから構成されている。表示制御基板１００は、フレーム１０３の正面側に配置されてフレーム１０３に支持される。画質調整制御基板１０５は、モニタ外装本体１０２にその下方部位で支持されている。画質調整用手動器１１５は、画質調整制御基板１０５に近接する位置で、モニタ外装本体１０２の下方部位に固定されている。画質調整用手動器１１５は、操作の便宜のために、モニタの正面側でモニタ外装本体１０２の下方端部位に配置される。画質調整制御基板１０５は、画質調整用手動器１１５の配置位置に対応して、モニタ外装本体１０２の下方端部位に配置されている。表示制御基板１００と画質調整制御基板１０５との間は、図８と図９とに示されるように、接続ケーブル１０７により電気的に接続されている。
【０００５】
図１０と図１１と図１２は、画質調整制御基板１０５の詳細を示している。画質調整制御基板１０５には、画質調整信号発生器１０６と装置動作状態表示用の発光ダイオード１２１と、多芯接続コネクタ１０８とが一体的に構造化されて装着されている。接続ケーブル１０７の一端部位は、多芯接続コネクタ１０８に差し込まれる。図１３と図１４は、表示制御基板１００の詳細を示している。表示制御基板１００には、ＲＧＢ信号入力コネクタ１０９と、ＲＧＢ信号に基づいて画像表示を制御する画像表示用ＬＳＩ１１０と、液晶モジュール１０４に対して接続するためのコネクタ１１１と、画質調整制御基板１０５に対して接続するためのコネクタ１１２とから構成されている。ＲＧＢ信号は、ＲＧＢ信号入力コネクタ１０９から入力され、矢印で示されるＲＧＢ信号伝送回路１１３により伝送され、途中で画像表示用ＬＳＩ１１０により信号変換を受けて、コネクタ１１１から液晶モジュール１０４に対して出力される。
【０００６】
表示制御基板１００には、画像表示用ＬＳＩ１１０を起動させる電源が必要である。その電源を生成する電源生成回路１１４は、複数位置に点在的に基板上に配置される。基板上で互いに入り乱れて配置されるＲＧＢ信号伝送回路１１３と電源生成回路１１４とは、ノイズを生成して、液晶モジュール１０４に表示される画像品質を劣化させる。
【０００７】
２様の制御基板の一体化に基づく回路構造の一層の簡素化が求められる。更には、画像品質の劣化を抑制することが望まれる。
【０００８】
【特許文献１】
特開平０９−２８８２７８号
【特許文献２】
特開平０９−３１９４９８号
【０００９】
【発明が解決しようとする課題】
本発明の課題は、２様の制御基板の一体化に基づく回路構造を一層に簡素化する液晶モニタ装置を提供することにある。
本発明の他の課題は、更に画像品質の劣化を抑制する液晶モニタ装置を提供することにある。
【００１０】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【００１１】
本発明による液晶モニタ装置は、外装本体（１）と、外装本体（１）に支持される支持枠（３）と、外装本体（１）に支持される液晶モジュール（４）と、支持枠（３）に支持される制御基板（５）と、外装本体（１）に支持され外装本体（１）の正面側に配置され画質を調整する画質調整手動器（７）とから構成されている。制御基板（５）は、支持枠（３）の正面側と液晶モジュール（４）の背面側との間に配置される。制御基板（５）は、液晶モジュール（４）に画像信号送信的に接続し画像表示を制御する第１制御回路（１６）と、画質調整手動器（７）に画質信号受信的に接続し画質を調整する第２制御回路（図示されず）とから形成されている。第１制御回路（１６）と第２制御回路とは共通の制御基板（５）に同体に結合している。
【００１２】
第１制御回路（１６）と第２制御回路とは共通の制御基板（５）に同体に結合していて、基板が単一化され、ケーブルによる配線構造が簡略化され、全体の組立が簡素化される。
【００１３】
制御基板（５）には、第３制御回路（２３）が同体に更に形成されている。第３制御回路（２３）は第１制御回路（１６）と第２制御回路に電力を供給する電源として用いられる。第３制御回路（２３）は、第１制御回路（１６）と第２制御回路の間の領域に配置されていて、電源と両制御回路の間の電気磁気的相互作用による相互干渉が抑制されて、結果的に画質を向上することができる。
【００１４】
第１制御回路（１６）は制御基板（５）の背面側に形成され、第２制御回路は制御基板（５）の正面側に形成される。第１制御回路は制御基板（５）の中央領域に配置され、第２制御回路は制御基板（５）の下方領域に配置される。このような両制御回路の配置のために制御基板（５）の両面が利用され、その利用面積を増大させ、多様な回路、配線の間の間隔をより広くすることができ、結果的に、電気磁気的干渉を有効に回避し、配置の自由度を高くすることができ、配置の自由度の向上は結果的に組立てを簡素化することができる。
【００１５】
画質調整手動器（７）は、外装本体（１）の下方部位に配置される、第２制御回路と画質調整手動器（７）との間の距離が最短化され、結果的に電気配線を簡素化し、且つ、組立を簡素化することができる。
【００１６】
外装本体（１）に支持され画像信号ケーブル（９）の端部に接続する第１コネクタ（１２）と、制御基板（５）の背面側に支持される第２コネクタ（１５）とが追加される。第１コネクタ（１２）は第２コネクタ（１５）に画像信号伝送的に接続する。コネクタの使用は、制御基板（５）と支持枠（３）又は外装本体（１）に対する電気接合の組立を簡素化する。画像信号ケーブル（９）は、ＲＧＢ信号伝送のケーブルに一致している。第２コネクタ（１５）は、制御基板（５）の上方領域に配置される。
【００１７】
第１制御回路（１６）の動作状態を示す発光器（２１）が追加される。発光器（２１）は制御基板（５）の下方領域に配置されて支持される。発光器（２１）と画質調整手動器（７）はともに下方側に配置され、動作状態を見ながら画質を調整する作業が容易である。
【００１８】
制御基板（５）を支持枠（３）に支持する支持器（６）が用いられる。制御基板（５）の背面と支持枠（３）の正面との間には支持器（６）により隙間が形成されている。狭い所で制御基板（５）が位置し、その組立が簡素化され、且つ、制御基板（５）の両側に隙間が形成されて冷却性が向上する。
【００１９】
【発明の実施の形態】
図に対応して、本発明による液晶モニタ装置は、モニタ外装本体が制御基板とともに設けられている。そのモニタ外装本体１は、図１に示されるように、机上に安定的に載置される基台２に支持されている。モニタ外装本体１には、フレーム３が内装的に支持されている。液晶モジュール４は、モニタ外装本体１の前面側（正面側）でフレーム３に支持されている。
【００２０】
その制御基板５は、フレーム３の正面側と液晶モジュール４の背面側との間に配置されている。制御基板５は、適正に自律的に剛性があり、その表裏面はそれぞれに自律的に単一の平面を形成し、液晶モジュール４とフレーム３の間の狭い空間に収容され得る。制御基板５は、支持具６を介してフレーム３に支持される。支持具６は、制御基板５の上端部位と下端部位に配置されている。
【００２１】
複数個の画質調整手動器７は、図２に示されるように、モニタ外装本体１の正面側の下端部位に配置されている。画質調整手動器７は、押下げ式スイッチが好ましい。押下げ式スイッチの代えられて、回転式摘みが用いられ得る。制御基板５の下端部位には、画質調整信号発生器８が配置されている。画質調整信号発生器８は、画質調整手動器７の押下げ動作の回数に対応する強弱の画質調整信号を生成する。画質調整信号発生器８が接続する画質調整回路（図示されず）は、画質調整信号発生器８の位置に位置対応して制御基板５の正面側に形成されている。
【００２２】
ＲＧＢ信号ケーブル９の先端部位の差込口１１は、モニタ外装本体１に形成されている受口１２に差し込まれる。受口１２は、ＲＧＢ信号出力側コネクタ１３を介して制御基板５のＲＧＢ画像表示回路に対して接続する。ＲＧＢ信号出力側コネクタ１３は、フレーム３と制御基板５とに対して着脱自在であり得る。
【００２３】
図３は、制御基板５の背面側を示している。制御基板５は、本体基板１４を形成している。本体基板１４には、既述のＲＧＢ信号出力側コネクタ１３に位置対応して着脱自在に電気的に接合するＲＧＢ信号入力側コネクタ１５が配置されている。ＲＧＢ信号入力側コネクタ１５は、本体基板１４の背面側に配置されている。制御基板５を形成する本体基板１４には、画像表示回路１６が実装されている。画像表示回路１６は、本体基板１４の背面側に形成されている。画像表示回路１６は、液晶モジュール４に画像を生成する画像生成機能を有するＬＳＩとして本体基板１４の背面側に形成され、本体基板１４の一部分である。
【００２４】
ＲＧＢ信号入力側コネクタ１５に入力されＲＧＢ信号入力側コネクタ１５から出力されるＲＧＢ信号１７は、画像表示回路１６に入力する。画像表示回路１６は、ＲＧＢ信号１７を変換してＲＧＢ画像生成信号１８を生成して出力する。本体基板１４には、ＲＧＢ画像生成信号１８を液晶モジュール４に対して出力するＲＧＢ画像信号出力コネクタ１９が同体に配置されている。画像表示回路１６は、本体基板１４の概ね中央領域に形成されて実装されている。ＲＧＢ画像信号出力コネクタ１９は、本体基板１４の上端部位に配置されている。
【００２５】
図４は、液晶モジュール４の正面側を示している。画質調整信号発生器８は、本体基板１４の正面側で、本体基板１４の下端部位（下辺側）に列状に配置されている。本体基板１４の動作状態（画像表示回路１６の動作状態）を示す発光ダイオード２１は、本体基板１４の下端部位で画質調整信号発生器８に対して横並びに配置されて本体基板１４に結合している。発光ダイオード２１は、本体基板１４の正面側に配置されている。
【００２６】
制御基板５に形成される画像表示回路と画質調整回路は、電源により駆動される。その電源は、電源生成回路により形成される。その電源生成回路は、本体基板１４に同体に形成されている。電源生成回路の電源生成領域２３は、画像表示回路１６が配置される画像表示制御回路領域より下方側に配置される。画質調整回路は、電源生成領域２３より下方側で本体基板１４の正面側に配置される。電源生成領域２３は、特には、本体基板１４の背面側に形成され、画質調整信号発生器８の配置領域と画像表示回路１６の配置領域との間に配置されている。ＲＧＢ信号１７を通す配線が形成される配線領域は、電源生成領域２３より上方側に配置され電源生成領域２３に対する干渉性が緩和されている。
【００２７】
両様の制御基板は、本体基板１４に共通に又は同体に形成される。同体に形成される画像表示制御回路１６と画質調整回路（図示されないが画質調整信号発生器８に近接する位置に配置されている）とは、本体基板１４の背面又は正面に一体に形成される基板面配線又は正面背面間で本体基板１４を貫通する配線により接続され、基板面から離れるケーブルにより接続されていない。このような基板内配線は、配線構造を簡素化する。電源は本体基板１４に一体化され、電源生成領域２３と画像表示回路１６とは、同じ面に配置される場合にも異なる面に配置される場合にも、面内方向には配置的には互いに干渉しない領域に配置されている。電源生成領域２３と画像表示回路１６の配置的非干渉性は、電源生成領域２３と画像表示回路１６との電気的非干渉性に有効に一致し、電源生成領域２３の電気的影響が画像表示回路１６に及ぶことを有効に抑制することができ、画質の劣化を有効に回避することができる。
【００２８】
画質調整信号発生器８による画質調整は、ノイズの発生を効果的に抑制するこのような画質維持環境下で特に有効である。本体基板１４の両面が調和的に活用され、且つ、液晶モジュール４とフレーム３との間の空間が制御基板５の配置のために有効に活用され、配置構造の点で顕著に簡素化されて、組立コストの低減効果がある。２枚の基板を用いずに１枚の基板の表裏面を用い、且つ、回路形成領域を非干渉的に形成することにより、１枚の基板の有効使用面積を広く活用することができる。
【００２９】
ＲＧＢ信号ケーブル９は、フレーム３の背面側に配置され、画質調整手動器７を操作する操作者の操作の邪魔をしない。画質調整手動器７が液晶モジュール４の正面側に配置されることは、画質調整と装置動作状態の確認のために好都合である。
【００３０】
図５は、本発明による液晶モニタ装置の実施の他の形態を示している。実施の本形態では、実施の既述の形態に外部インタフェース用受口２４が追加されている。外部インタフェース用受口２４には、ＵＳＢのような外部インタフェース中継ケーブル２５が差し込まれる。外部インタフェース用受口２４は、図６と図７とに示されるように、外部インタフェース用受口２４を介して、本体基板１４の背面側に形成されているインタフェース出力側コネクタ２６に接続している。外部インタフェース中継ケーブル２５から送られて来る外部信号を中継する中継回路２７は、インタフェース出力側コネクタ２６とＲＧＢ信号入力側コネクタ１５との間で本体基板１４の背面側に形成されている。
【００３１】
外部インタフェースが設けられる場合にも、制御基板５の回路基板構成は簡素に維持される。
【００３２】
【発明の効果】
本発明による液晶モニタ装置は、組立が簡素化される。更には、画質が向上する。
【図面の簡単な説明】
【図１】図１は、本発明による液晶モニタ装置の実施の形態を示す正面断面図である。
【図２】図２は、図１の側面図である。
【図３】図３は、制御基板を示す右側面図である。
【図４】図４は、制御基板を示す左側面図である。
【図５】図５は、本発明による液晶モニタ装置の実施の他の形態を示す正面断面図である。
【図６】図６は、他の制御基板を示す右側面図である。
【図７】図７は、図６の正面図である。
【図８】図８は、公知の液晶表示装置を示す正面断面図である。
【図９】図９は、図８の左側面図である。
【図１０】図１０は、制御基板を示す側面図である。
【図１１】図１１は、制御基板を示す平面図である。
【図１２】図１２は、制御基板を示す正面図である。
【図１３】図１３は、制御基板を示す側面図である。
【図１４】図１４は、制御基板を示す平面図である。
【符号の説明】
１…外装本体
３…支持枠
４…液晶モジュール
５…制御基板
７…画質調整手動器
９…画像信号ケーブル
１２…第１コネクタ
１５…第２コネクタ
１６…第１制御回路
２１…発光器
２３…第３制御回路
【図１】
2004317905.tif 000003
【図２】
2004317905.tif 000004
【図３】
2004317905.tif 000005
【図４】
2004317905.tif 000006
【図５】
2004317905.tif 000007
【図６】
2004317905.tif 000008
【図７】
2004317905.tif 000009
【図８】
2004317905.tif 000010
【図９】
2004317905.tif 000011
【図１０】
2004317905.tif 000012
【図１１】
2004317905.tif 000013
【図１２】
2004317905.tif 000014
【図１３】
2004317905.tif 000015
【図１４】
2004317905.tif 000016